(57)【特許請求の範囲】
【請求項１】
記録ヘッドに供給されるインクを吸収して収容するためのインク吸収体が配された第１の空間と、該第１の空間に供給されるインクを収容するための第２の空間と、を有するインクタンクと、
前記第２の空間内のインクの有無を検知する検知手段と、
該検知手段によって前記第２の空間内にインクが無いと検知された後に、前記記録ヘッドからのインク吐出回数をカウントするカウント手段と、
前記インクタンクに配され、前記カウント手段によってカウントされたインク吐出回数
を記憶するための記憶素子と、を備える記録装置において、
前記インクタンクが前記記録装置に装着された際に前記記憶素子に記憶されたインク吐出回数が閾値以上の場合に、前記検知手段に前記第２の空間内のインクの有無を検知させる制御手段を備え、該制御手段は、前記検知手段によって前記第２の空間内にインクが有ると検知された場合は、前記インクタンクのインク残量を検知するシステムが異常であると判定し、前記記憶素子に前記インク残量を検知するシステムが異常であることを記憶させることを特徴とする記録装置。
【請求項２】
前記制御手段により前記インク残量を検知するシステムが異常であると判定された場合は、所定の表示部に対するインク残量表示を停止することを特徴とする請求項１に記載の記録装置。
【請求項３】
前記インクタンクはプリズムを有し、前記検知手段は、前記プリズムに向けて光を照射するための光源と、該光源から照射されて前記プリズムで反射した光を受光するための光センサと、を有することを特徴とする請求項１または請求項２に記載の記録装置。
【請求項４】
記録ヘッドに供給されるインクを吸収して収容するためのインク吸収体が配された第１の空間と、該第１の空間に供給されるインクを収容するための第２の空間と、を有するインクタンクと、前記第２の空間内のインクの有無を検知する検知手段と、該検知手段によって前記第２の空間内にインクが無いと検知された後に、前記記録ヘッドからのインク吐出回数をカウントするカウント手段と、前記インクタンクに配され、前記カウント手段によってカウントされたインク吐出回数を記憶するための記憶素子と、を備える記録装置におけるインク残量検知システムの異常判定方法であって、
前記インクタンクが前記記録装置に装着された際に前記記憶素子に記憶されたインク吐出回数が閾値以上の場合に、前記検知手段に前記第２の空間内のインクの有無を検知させる検知工程と、
該検知工程によって前記第２の空間内にインクが有ると検知された場合は、前記インクタンクのインク残量を検知するシステムが異常であると判定する判定工程と、
前記インクタンクのインク残量を検知するシステムが異常であると判定された結果を前記記憶素子に記憶する工程と、
を有することを特徴とするインク残量検知システムの異常判定方法。
【発明の詳細な説明】
【技術分野】
【０００１】
本発明はインクタンクの残量を検知するインク残量検知システムの異常判定方法に関するものである。
【背景技術】
【０００２】
近年、オフィスや家庭におけるパーソナルコンピュータやワードプロセッサ、ファクシミリ等の普及により、これらの機器の情報出力機器として様々な記録方式の記録装置が提供されている。その中でもインクジェット方式によるプリンタなどの記録装置は、複数種類のインクを用いたカラー記録への対応が比較的容易なものである。また、動作時の騒音が小さく、多種多様の記録媒体に対して高品位の画像形成が可能であり、さらに小型である等、種々の利点を有している。この点から、この方式のプリンタなどはオフィスや家庭でのパーソナルユースに適したものと言える。このインクジェット方式の記録装置のうち、記録媒体に対して記録ヘッドを走査して記録を行うシリアル型の記録装置は、低コストで高品位の画像を記録できることから広く普及している。
【０００３】
シリアルタイプの記録装置は、このように比較的低コストであることから、パーソナルユースのみならず、多くのユーザー層に受け入れられている。一方では、その使用感においても、より高い性能が求められている。特に、インク残量などの、ユーザーが記録装置を使用する上で、正確な情報を提示する必要がある。
【０００４】
インク残量の検知方法の１つとして、インクタンクに何らかのセンサを設けインク残量を直接測定しようとするものがある。このセンサとしてインクタンクにインクに接した２本の電極を用いる場合には、そのインク残量に応じて変化する電極間の抵抗値を測定することによりインク残量を推定する。また、インクタンクの近傍に光センサを設ける場合には、インクタンク内のインクに光を入射させ、インク残量やインクの有無に応じて変化するその反射光或は透過光をその光センサで検出してそのインク残量や有無を検知している。このようなインク残量検出方法は、「センサ方法」と呼ばれている。
【０００５】
また別の方法として、インク滴の吐出回数をカウントし、予め見積もった１吐出当りのインク量を掛け合わせることにより、インク消費量を間接的に推定するものがある。この方式は、「ドットカウント方法」と呼ばれている。
【０００６】
さらに、インク残量をより正確に把握するために、複数のインク量の検出機構を設けた構成も考えられている。例えば、インクカートリッジのインク残量を検出するために、インクニアエンド検出機構と、インクジェットプリンタの側に搭載されたインク残量カウンタとを備えた構成のものも知られている。具体的には、光学式センサを用いてインクカートリッジのインク残量が所定のインク残量以下になるインクニアエンド状態を検出し、インクニアエンド状態になった後は、インク液滴の吐出回数からインク消費量を算出し、算出したインク消費量に対応する値をインク残量カウンタから減算するように構成されている。インク残量カウンタの値が予め定めた値以下になると、インクカートリッジのインク残量が実質的に無くなったインクリアルエンド状態になったことが検出される。このようなインクジェットプリンタは、例えば、特許文献１に開示されている。
【０００７】
また、一方では、インクニアエンド状態になった後にカートリッジ装着部から引き抜かれたインクカートリッジをインクリアルエンド状態まで使用可能なインク残量検出システムが提案されている。このシステムでは、装着されたインクカートリッジのＩＣメモリのフラグ領域にインクニアエンド状態であるか否かの情報を記憶させ、その残量カウンタにインク残量情報を記憶させる。装着されたインクカートリッジがインクニアエンド状態のものである場合には、残量カウンタのカウント値から、インク液滴の吐出回数から算出したインク消費量を減算してインク残量を算出する。そして、インクリアルエンドを検出する。このようなインクジェットプリンタは、例えば、特許文献２に開示されている。
【０００８】
以上の特許文献１、２に開示の技術は、ＩＣメモリや光学センサなどが正確に動作していれば、正確なインク残量表示が行え、インクを無駄なく最後まで使うことが可能であり、経済的な使用方法であるといえる。
【特許文献１】特開２００２−３２６３６９号公報
【特許文献２】特開２００４−３５８７９３号公報
【発明の開示】
【発明が解決しようとする課題】
【０００９】
しかしながら、簡単に着脱可能なインクタンクは、落下などの物理的な衝撃や電気ノイズ等の影響を受け易い形態をしている。このような外乱要因により、ＩＣメモリなどの記憶手段が破壊さえてしまうことがある。また、光学センサは電気ノイズの影響を受け易いことに加え、記録動作に伴うインクミストなどにより、光学的な出力が低下してしまって、正確な検出を行うことができなくなることがある。つまり、各インクタンクに対して、適切なインク残量の把握が行えなくなってしまう。
【００１０】
この場合、間違ったインク残量表示をしたり、使用できるインクがあるにも関わらず、使用できない状態になったり、ユーザーに対して不利益を生じさせてしまう。
【００１１】
本発明は、上述した課題に鑑みてなされたものであり、外乱要因により、光学センサを用いてインク残量を検知するインク残量機構や各インクタンクについて使用したインク量を算出する使用量カウント機構、記憶機構の動作に異常（エラー）が生じた場合であっても、このエラーが原因で記録装置もしくはインクタンクが使用不可になってしまうような不具合を抑制し、使用するユーザーに不利益を生じさせないようにすることを主たる目的とする。
【課題を解決するための手段】
【００１２】
上記の課題を解決するために本発明は、記録ヘッドに供給されるインクを吸収して収容するためのインク吸収体が配された第１の空間と、該第１の空間に供給されるインクを収容するための第２の空間と、を有するインクタンクと、前記第２の空間内のインクの有無を検知する検知手段と、該検知手段によって前記第２の空間内にインクが無いと検知された後に、前記記録ヘッドからのインク吐出回数をカウントするカウント手段と、前記インクタンクに配され、前記カウント手段によってカウントされたインク吐出回数を記憶するための記憶素子と、を備える記録装置において、
前記インクタンクが前記記録装置に装着された際に前記記憶素子に記憶されたインク吐出回数が閾値以上の場合に、前記検知手段に前記第２の空間内のインクの有無を検知させる制御手段を備え、該制御手段は、前記検知手段によって前記第２の空間内にインクが有ると検知された場合は、前記インクタンクのインク残量を検知するシステムが異常であると判定し、前記記憶素子に前記インク残量を検知するシステムが異常であることを記憶させることを特徴とする。
【発明の効果】
【００１７】
本発明によれば、外乱要因により、光学センサーを用いたインク残量検知機構や使用量カウント機構、記憶機構の動作に異常（エラー）が生じた場合であっても、このエラーが原因で記録装置もしくはインクタンクが使用不可になってしまうような不具合を抑制することができる。結果、使用するユーザーに不利益を生じさせずに済む。
【発明を実施するための最良の形態】
【００１８】
以下、図面を参照して本発明の実施形態を詳細に説明する。
【００１９】
本発明の一実施形態としてインクジェット記録装置を説明する。ここでは、色材としてインクを使用し、ノズルである記録素子から該インクを記録媒体へ吐出する形態としたが、本発明はインクジェット記録装置に限らず、複数の記録素子からなる構成の記録装置であれば、実現可能である。
【００２０】
（インクジェット記録装置の装置構成）
図１は、本実施形態のインクジェット記録装置の装置構成を示す図であり、ケースカバーを除いた状態で示す斜視図である。
【００２１】
同図に示すように、本実施形態のインクジェット記録装置は、記録ヘッド３を着脱自在に搭載するキャリッジ２と、これを移動させて記録ヘッドの走査を行うための駆動機構を備える。すなわち、キャリッジ２は、駆動源であるキャリッジモータＭ１の駆動力がベルト、プーリなどからなる伝動機構４を介してキャリッジ２に伝えられることによりキャリッジ２を矢印Ａ方向に往復移動させることができる。キャリッジ２には、本記録装置で用いるインクの種類に対応してインクカートリッジ６が着脱自在に搭載される。搭載するインクカートリッジは簡略化して４個のみを示しているが、本実施形態では、第１および第２のブラックインク、シアン、マゼンタ、イエローの５種類のインクを用いる。従って、必要に応じてインクごとに別体のインクカートリッジを５個搭載するようにしてもよい。なお、インクの詳細については後述する。
【００２２】
記録ヘッド３は大きくはブラックインク用チップとカラーインク用チップに分かれており、キャリッジ２には、これらチップにおける各溝にそれぞれ対応するインクがカートリッジから供給されるようそれぞれのインク供給路が形成される。また、キャリッジ２と上記各チップからなる記録ヘッド３は、両部材の接合面が適切に接して所要の電気的接続ができるよう構成される。これにより、記録ヘッド３は、記録信号に応じて前述のヒータに電圧パルスを印加してインクに気泡を生じさせこの気泡の圧力によって吐出口からインクを吐出することができる。すなわち、電気熱変換体であるヒータはパルスが印加されることにより熱エネルギーを生じ、これによりインクに生じる膜沸騰による気泡の成長、収縮によって生じる圧力変化を利用して、吐出口よりインクを吐出させるものである。
【００２３】
また、記録媒体である記録紙Ｐを搬送する給紙機構５を備え、記録ヘッドの走査に応じて所定量の紙送りを行う。さらに、キャリッジ２の移動範囲の一端には、記録ヘッド３の吐出回復処理を行うための回復装置１０を備える。
【００２４】
このようなインクジェットプリンタにおいて、記録紙Ｐは給紙機構５によって記録ヘッド３の走査領域に送り込まれ、記録ヘッド３の走査によって記録紙Ｐに画像や文字などの記録が行なわれる。
【００２５】
上述の装置構成をより詳細に説明すると、キャリッジ２は、キャリッジモータＭ１の駆動力を伝達する伝動機構４を構成する駆動ベルト７の一部に連結されており、また、ガイドシャフト１３に沿って矢印Ａ方向に摺動自在に案内支持されている。これにより、キャリッジモータＭ１の駆動力がキャリッジ２に伝達されてその移動を行うことができる。この場合、キャリッジ２は、キャリッジモータＭ１の正転および逆転によってそれぞれ往方向または復方向の移動を行うことができる。また、図１において、８はキャリッジ２の矢印Ａ方向における位置を検出するためのスケールを示す。本実施形態では、透明なＰＥＴフィルムに所定のピッチで黒色のバーを印刷したものを用いており、その一方はシャーシ９に固着され、他方は不図示の板バネで支持されている。このスケールのバーをキャリッジ２に設けられるセンサが光学的に検出することにより、キャリッジ２の位置を検出することができる。
【００２６】
記録ヘッド３の走査領域で、記録ヘッド３の走査でそれぞれの吐出口列に対向する領域に不図示のプラテンが設けられており、このプラテン上を搬送される記録紙Ｐに対してそれぞれのインクを吐出することにより、プラテンによって平坦な面が維持された記録紙に記録が行われる。
【００２７】
１４は不図示の搬送モータＭ２によって駆動される搬送ローラを示し、１５は不図示のバネにより記録シートを搬送ローラ１４に当接するピンチローラ、１６はピンチローラ１５を回転自在に支持するピンチローラホルダをそれぞれ示す。また、１７は搬送ローラ１４の一端に取り付けられた搬送ローラギアを示し、この搬送ローラギア１７に不図示の中間ギアを介して伝達された搬送モータＭ２の回転により、搬送ローラ１４が駆動される。２０は記録ヘッド３によって画像が形成された記録紙を装置外ヘ排出するための排出ローラを示し、同様に搬送モータＭ２の回転が伝達されることで駆動される。なお、排出ローラ２０には不図示のバネの押圧力によって不図示の拍車ローラが記録紙に当接する。２２は拍車ローラを回転自在に支持する拍車ホルダを示す。
【００２８】
キャリッジ２が記録動作のために往復移動する範囲（走査領域）外の所定の位置（例えばホームポジションと対応する位置）には、上述のように、記録ヘッド３の吐出性能を維持するための回復装置１０が配設されている。この回復装置１０は、記録ヘッド３の吐出口面をキャッピングするキャッピング機構１１と記録ヘッド３の吐出口面（各色の吐出口列が設けられた面）をクリーニングするワイピング機構１２を備えている。このキャッピング機構１１による吐出口面のキャッピングに連動して回復装置内の不図示の吸引機構（吸引ポンプ等）により吐出口からインクを強制的に排出させる。それによって、記録ヘッド３のインク路内の増粘インクや気泡等を除去するなどの吐出回復処理を行うことができる。また、非記録時等に、記録ヘッド３の吐出口面をキャッピングすることによって、記録ヘッドを保護するとともにインクの乾燥を防止することができる。さらに、ワイピング機構１２は、キャッピング機構１１の近傍に配されて、記録ヘッド３の吐出口面に付着したインク滴を拭き取ることにより、そのクリーニングを行う。そして、これらキャッピング機構１１およびワイピング機構１２により、記録ヘッド３を正常な吐出状態に保つことが可能となっている。
【００２９】
図２は図１に示した装置構成を具えたインクジェット記録装置の制御系の概略構成を示すブロック図である。
【００３０】
図２に示すように、コントローラ６００は、マイクロコンピュータ形態のＣＰＵ６０１、ＲＯＭ６０２、特殊用途集積回路（ＡＳＩＣ）６０３、ＲＡＭ６０４、システムバス６０５、Ａ／Ｄ変換器６０６等を含む。ＲＯＭ６０２は、後述する各種記録モードの実行やその際の記録動作の制御、また、後述する画像処理のシーケンスに対応したプログラムや所要のテーブルその他の固定データを格納している。特殊用途集積回路（ＡＳＩＣ）６０３は、各記録モード実行の際のキャリッジモータＭ１の制御、紙送りモータＭ２の制御、記録ヘッド３における吐出制御等の制御信号を生成する。ＲＡＭ６０４は、画像データを展開する領域や作業用の領域等を備える。システムバス６０５は、ＣＰＵ６０１、ＡＳＩＣ６０３およびＲＡＭ６０４を相互に接続してデータの授受を行う。
【００３１】
Ａ／Ｄ変換器６０６は、以下に説明するセンサ群からのアナログ信号を入力してＡ／Ｄ変換し、それぞれのデジタル信号をＣＰＵ６０１に供給する。
【００３２】
６１０は画像データの供給源となるホストコンピュータ（あるいは画像読取り用のリーダや、デジタルカメラなど）を示し、インターフェース（Ｉ／Ｆ）６１１を介して画像データ、コマンド、ステータス信号等をコントローラ６００と送受信する。
【００３３】
６２０はスイッチ群を示し、電源スイッチ６２１、プリント開始を指令するためのスイッチ６２２、および記録ヘッド３の回復処理の起動を指示するための回復スイッチ６２３など、操作者による指令入力を受容するためのスイッチを有する。６３０はセンサ群を示し、記録ヘッド３がその移動によりホームポジションｈに位置することを検出する、上記スケール８と組合わされるフォトカプラ６３１、環境温度を検出するためにプリンタの適宜の箇所に設けられた温度センサ６３２等から構成される。さらに、６４０はキャリッジモータＭ１を駆動するドライバ、６４２は紙送りモータＭ２を駆動するためのドライバをそれぞれ示す。
【００３４】
以上の構成において、本実施形態の記録装置は、インターフェース６１１を介して転送された記録データのコマンドを解析し、記録すべき画像データをＲＡＭ６０２に展開する。画像データの展開領域（展開バッファ）は、横を主走査方向の記録可能領域分の画素数Ｈｐに対応したサイズ、縦を記録ヘッドにおけるノズル列により１回の走査で記録される縦方向の画素数である６４ｎ（ｎは１以上の整数；例えばｎ＝４）に対応したサイズとしてそれぞれ構成し、ＲＡＭ６０２の記憶領域上に確保される。また、記録走査において記録ヘッドにデータを送るために参照されるＲＡＭ６０２上の記憶領域（プリントバッファ）は、横を主走査方向の記録可能領域分の画素数Ｖｐに対応したサイズ、縦を記録ヘッドの１回のプリント走査でプリントされる縦方向の画素数である６４ｎに対応したサイズとして構成し、ＲＡＭ６０２の記憶領域上に確保される。
【００３５】
ＡＳＩＣ６０３は、記録ヘッドによる記録走査の際に、ＲＡＭ６０２の記憶領域（プリントバッファ）に直接アクセスしながら記録ヘッドに対して各吐出口ごとにヒータの駆動データを取得し、それを記録ヘッドのドライバへ転送する。
【００３６】
このような構成のインクジェット記録装置に搭載するインクについて、以下に詳細を説明する。
【００３７】
（記録ヘッド構成）
次に、本実施形態で用いられる記録ヘッドの構成について図３を参照して説明する。
【００３８】
まず、各記録ヘッドには複数の吐出口が記録媒体搬送方向に配列されている。各吐出口はインクタンクと連通するインク液室及びインク液路とつながっており、各吐出口に対応してインク液路には電気熱変換体であるヒータが設けられている。インク吐出時はこのヒータを発熱させ、インク中に気泡を発生させ、この気泡の生成圧力によって所定量のインクを滴として記録媒体上に吐出する。以下、吐出口とそれに対応するインク液路等を含めて「ノズル」と称する。
【００３９】
図３は、本インクジェット記録装置に装着された状態の記録ヘッドを記録媒体側から見た図であり、各記録チップの配置を示した模式図である。
【００４０】
同図に示すように、本実施形態の記録ヘッドは、カラーインク用チップ１１００とブラックインク用チップ１２００を基材１０００に接続することにより形成される。カラーインク用チップ１１００とブラックインク用チップ１２００とを比較して分かるように、ブラックインク用チップ１２００の方が記録媒体搬送方向に長くなっている。ブラックインク用チップ１２００は、上述の第１ブラックインクを吐出するためのノズルを配列したものであり、カラーインク用チップ１１００より記録媒体搬送方向（副走査方向）にノズルの配列範囲が長いチップである。これによって、ブラックインク用チップを用いて黒１色でテキスト文書等を記録する場合、１走査での記録幅が長いので、１ページを記録するために要する走査数が少なくなり、記録に要する時間が短くすることができる。テキスト文書のように記録速度を重視する記録モードの場合、非常に有効である。
【００４１】
また、記録媒体上の同一記録領域に対しカラーインクの付与に先行して顔料ブラックインクの記録を行うことができるように、カラーインク用チップ１１００とブラックインク用チップ１２００は記録媒体方向にずらした位置に配置してある。
【００４２】
（インク）
本実施形態では、ブラックインクとして、上述記録モードに応じて２種類のインクが用いられる。そのうち、テキスト文書などのモノクロ記録モードで使用される第１のブラックインクは、色材としてカーボンブラックからなる顔料を用いたものである。この顔料の表面にカルボキシル基等の表面処理を施すことでインク中に分散可能にしている。また、インクの水分蒸発を抑制するためにグリセリン等の多価アルコール類を保湿剤として添加することが好ましい。さらに、顔料インクは顔料が記録媒体表層に定着するため、文字等のキャラクタを記録するのに用いると黒々としたシャープな文字を実現することができる。また、テキスト文書は普通紙に記録されることが多いので、普通紙においてもブラックインクドットのエッジが劣化しないことが重要である。そのため、エッジが劣化しない範囲でインクの浸透性を調整するためにアセチレングリコール系の界面活性剤を添加しても良い。また、この顔料と記録媒体との結着力を高めるために高分子ポリマーをバインダーとして添加しても良い。
【００４３】
一方、カラー記録モードで使用される第２のブラックインクは、色材としてブラック染料を用いる。また、記録媒体の表面で十分高速なインクの浸透を実現するためにアセチレングリコール系の界面活性剤を臨界ミセル濃度以上添加する。また、本インクも水分蒸発を抑制するためにグリセリン等の多価アルコール類を保湿剤として添加することが好ましい。また、尿素等を色材の溶解性を高めるために添加しても良い。
【００４４】
写真画像などをカラー記録する場合、本実施形態では、カラーインクとしてシアンインク、マゼンタインクおよびイエローインクが用いられる。これらはそれぞれシアン、マゼンタ、イエローの染料インクとなっている。これらカラー染料インクと共に上述したブラック顔料インク（第１ブラックインク）を用いると、カラーインクとブラックインクとの間でインクの浸透速度に違いがあるため、結果としてカラーインクとブラックインクの境界部分でブリーディングやフェザリングが発生しやすくなる。したがって、写真画像のような比較的高品位のカラー記録を行う場合、上述のブラック染料インク（第２ブラックインク）を用いるものとする。したがって、カラーインクは、第２のブラックインクと同様な保湿剤、界面活性剤、および添加物を添加することが好ましい。なお、本発明はこれに限らず、顔料インクと染料インクを併用する形としてもよいのは言うまでもない。
【００４５】
また、第２のブラックインク、シアンインク、マゼンタインク、イエローインクの表面張力は概略同じになるように界面活性剤を調整することが望ましい。これは普通紙においての浸透性を同じにすることで紙面上での各インク間で記録された領域間のにじみ（ブリード）を抑制することができる。また、上記特性以外のインクの浸透性および粘度などの特性は、第２のブラックインクとシアンインク、マゼンタインク、イエローインクとは同等に調整する。
【００４６】
（光学センサによるインク残量機構）
図４は、センサ、特に、光センサを用いてインクタンク内のインク残量を検出する機構を説明した図である。実際には、図４に示すようなインク残量検出のための基本的構成が図１に示したインクジェット記録装置に備えられる。
【００４７】
まず、図４において、４０１は記録ヘッドに供給するインクを収容するための透明プラスチック等の光透過性を有する材質で形成されたインクタンクである。４０２はインクタンク４０１から記録ヘッドにインクを供給するための供給口、４０３はインクの消費に伴う気液交換を行うための大気連通口である。４０４はカラープリンタで通常使用される黒、シアン、マゼンタ、イエロなどの色のインクである。４０５は記録ヘッドでの記録のために安定的にインクを供給するためにインクタンク内に適当な負圧を発生させるよう適当な毛管力を有するポリウレタン等のインク吸収体である。４０６はインク吸収体４０５をインクタンク内の適当な位置（図４では左半分の空間）に保持するための仕切り板、４０７はインク吸収体４０５に吸収されていないインク（以下、“生インク”という）である。
【００４８】
なお、仕切り板４０６はその下部がインクタンク４０１の右半分の空間と左半分の空間とが通じるようなっている。このようにして徐々に生インク４０７がインク吸収体４０５へ供給されることにより、生インク４０７が残存する間は負圧が一定に保たれる。
【００４９】
また、４０８は生インク４０７の有無を検出するのに使用される光源となるＬＥＤである。このＬＥＤにはブラック、シアン、マゼンタ、イエロなどの４色のインクがいずれにもほとんど透過しない波長５５５ｎｍの光を発光するもの、例えば、スタンレー電気（株）製のＨＢＧ５０６６Ｘなどを用いることができる。さらに、４０９はシリコンフォトディテクター等の光検出器でＬＥＤ４０８からの光の波長に十分な感度をもつものである。この光検出器４０９は、図４に示すように、ＬＥＤ４０８から照射された光をインクタンク４０１及び生インク４０７を介して受光するように配置されている。
【００５０】
なお、ＬＥＤ４０８の発光制御や光検出器４０９で検出された光に基づく処理は、図１に示したインクジェット記録装置に備えられたＣＰＵなどによってなされる。
【００５１】
また、インクタンク４０１には記憶素子４１０が備え付けられている。この記憶素子４１０には、そのインクタンクの注入されているインク種、注入量、製造日、タンクＩＤ、そのタンクから使用したインク量、インク残量のステータスなど、インクタンク情報を記憶させることが可能である。当然、本インクタンクが装着される記録装置において、本インクタンクと電気的に接続できることは言うまでもない。記憶素子４１０に書き込まれた種々の情報を記録装置が取り込むことが可能である。
【００５２】
次に、図５は別形態として反射型センサを用いてインクタンク内のインク残量を検出する機構を説明した図である。図５（ａ）は生インクありの状態で、図５（ｂ）は生インクなしの状態を示している。
【００５３】
図５において、記録ヘッドに供給するインクを収容するための透明プラスチック等の光透過性を有する材質で形成されたインクタンク５０１、供給口５０２、大気連通口５０３、インク５０４、インク吸収体５０５、仕切り板５０６、生インク５０７である。これら５０１〜５０７は上述した図４と同じ構成である。
【００５４】
また、５１１は生インク５０７の残量検出用の光源となるＬＥＤである。５１２はシリコンフォトディテクター等の光検出器でＬＥＤ５１１からの光の波長に十分な感度をもつものである。一般に、ＬＥＤ５１１と光検出器５１２が一体となっている構成は反射型フォトインタラプタと言われている。図５に示すように、光検出器５１２はＬＥＤ５１１から照射された光をインクタンク５０１、生インク５０７及びインクタンク内の設けられたプリズム５１５を介して受光するように配置されている。また、ＬＥＤ５１１から照射された光をレンズ５１３で集光させることで検出感度を向上させる構成となっている。
【００５５】
図５（ａ）に示す生インクありの状態では、インクタンク内面はインク５０７で満たされている。この場合、ＬＥＤ５１１から発せられた照明光５１４の大部分はプリズム５１５を透過しインク５０７内へと抜ける。つまり、インクの残量を検出するための照明光５１４は、インク５０７とプリズム５１５の界面で反射されず透過する。このためプリズム５１５からの反射光は得られず、センサ５１２は、反射光が無いためにインクの残量が充分であると検査できる。それに対して、図５（ｂ）のようにインク量が空もしくは少ない時には、ＬＥＤ５１１からの照明光５１４はプリズム５１５内で反射される。つまり、照明光５１４は、プリズム５１５と空気との界面で全反射されるため、反射光５１６がセンサ５１２へ入射する。これによりインクの残量が空もしくは少ないことが検出できる。
【００５６】
また、インクタンク５０１には記憶素子５１０が備え付けられてる。この記録素子５１０には、そのインクタンクの注入されているインク種、注入量、製造日、タンクＩＤ、そのタンクから使用したインク量、インク残量のステータスなど、インクタンク情報を記憶させることが可能である。当然、本インクタンクが装着される記録装置において、本インクタンクと電気的に接続できることは言うまでもない。記憶素子５１０に書き込まれた種々の情報を記録装置が取り込むことが可能である。
【００５７】
本発明において、光学センサの形態は図４および図５のいずれでも対応は可能であるが、記録装置の大きさなど面から反射型が選択されることが多く、以降の実施例は反射型の光学センサを用いた場合について説明していく。
【００５８】
（光学センサによるインク残量検出シーケンス）
上述の反射型光学センサを用いた構成を備えたインクジェット記録装置において、インクタンク内のインク残量検出は、図６のフローチャートに示すようなシーケンスに従って実行される。
【００５９】
まず、ステップＳ１００においてインクタンク５０１からインクが供給される記録ヘッドがインクを吐出すると、次のステップＳ１１０では、ＬＥＤ５１１から光を照射して光検出器５１２においてその光を受光する。ステップＳ１２０では、その受光した光量がゼロかどうかを調べる。
【００６０】
ここで、最初の段階ではインクタンク５０１内に生インク５０７が充填されているので、ＬＥＤ５１１からの光はインクに吸収されてしまう。従って、光検出器５１２の出力はオフセット及びノイズとなるバックグランドを除くと“ゼロ”となり、処理はステップＳ１００に戻る。これに対して、記録動作が進むにつれてインクが消費され生インク５０７がだんだん減っていき、やがて生インク５０７が無くなると、ＬＥＤ５１１からの光がプリズム５１５と空気との界面で全反射され、光検出器５１２に光が到達する。この場合、光検出器５１２の出力は“ゼロ”でない。このように、光検出器５１２の出力変化を受け取るとＣＰＵは生インク５０７が無くなったと判断して、処理はステップＳ１３０に進む。
【００６１】
ステップＳ１３０では、ＣＰＵはインク吐出回数のカウントを開始するために、そのカウント値（ＤＣＮＴ）をまず“０”に初期化する。そして、以降ステップＳ１４０でインク吐出が発生すると、さらにステップＳ１５０ではそのインク吐出回数をカウントし加算してゆく。そして、ステップＳ１６０ではそのカウント値（ＤＣＮＴ）が所定の値（ＴＨ）になったかどうかを調べ、ＤＣＮＴ＜ＴＨであればまだ記録動作を続行できるインクが残存していると判断して処理はステップＳ１４０に戻る。一方、ＤＣＮＴ≧ＴＨであればインク残量が少ないと判断して処理はステップＳ１７０に進む。
【００６２】
最後に、ステップＳ１７０では、ＣＰＵは記録装置に備えられた操作パネルなどにインク残量が少なくなったことを示す警告メッセージを表示する。ユーザーは、この警告メッセージ表示を見て、新しいインクタンクに交換したり、新しいタンクを準備したりする。もしくは、警告としてインクなしエラーで記録装置を一時的に停止しても良い。なお、このような警告メッセージは、図２に示される記録装置と接続されるホスト装置６０１表示画面に表示するようにしてよい。
【００６３】
この場合、インク吸収体５０５に吸収されたインクから供給されるインク量に相当するインク吐出回数をカウントしているわけであるが、このインク量はインクタンク５０１全体に収容されるインク量よりも、インク吸収体５０５の気孔率や圧縮率等に依存するので、一定の製造工程を経れば、そのインク量のばらつきはある程度抑えることができる。
【００６４】
また、インク吸収体５０５に吸収されているインク量はインクタンク５０１全体に収容されるインク量の２０％程度であるので、ドットカウント方法に従ってインク残量検出を行う場合の検出誤差もその割合に比例して低減できる。
【００６５】
（インク残量検知機構の判定シーケンス）
前記の反射型光学センサを用いた構成がインクジェット記録装置に備えられていて、インク残量検出がシステムとして稼動している場合に、図７のフローチャートに示すようなシーケンスに従って、インク残量が正しく検知できているかを判定する。
【００６６】
まず、ステップＳ２００においてインクタンク５０１が記録装置に取り付けられたことを確認する。インクタンク５０１が取り付けられると、次のステップＳ２１０では、記憶素子４１０に記憶されているタンクＩＤの情報を取得する。新しいインクタンクであるのか、使用中のインクタンクが単に着脱されたのか、などの判断が可能となる。記録装置は、ＥＥＰＲＯＭ等の不揮発性メモリを利用することで、使用したタンクＩＤをタンク種毎に複数個記憶しておくことが可能である。次に、ステップＳ２２０では、記憶素子４１０に記憶されているドットカウント値（ＤＣＮＴ）を取得する。記録装置の不揮発性メモリを利用して、タンクＩＤとドットカウント値を相関付けて記憶しておく構成でも、インクタンク毎のドットカウント値を取得することは可能であるが、煩雑な構成になり易い。インクタンク毎の記憶素子４１０からドットカウント値を取り込む構成の方が、より好ましい形態であると言える。
【００６７】
そして、処理はステップＳ２３０に進んで、ドットカウント値が所定量（ＴＨＥ）になっているかを調べる。ＤＣＮＴ＜ＴＨＥであれば、まだ記録動作を十分に続行できるインクが残存していると判断して、このまま記録動作を行っても問題が無いので、本シーケンスを終了する。また、ＤＣＮＴ≧ＴＨＥであればインク残量が少なくなっているはずと判断して、処理はステップＳ２４０に進む。ここで、ＴＨＥはインクタンクに注入されているインク量よりも大きめの値としておく。例えば、２０ｃｃのインクが注入されるインクタンクに対しては、２４ｃｃ相当とする。インクタンクの製造公差やインク注入量公差等を加味して、２０％程度のインク量公差があるという考え方である。逆に、そのインクタンクからは、決して使用することのできないインク量相当に設定してある。当然、インク種やインクタンクの構造により変わるものなので、インクタンク種毎にＴＨＥを変えても良い。
【００６８】
次にステップＳ２４０では、インク残量検知を実行する。ここでのインク残量検知は、前述の光学センサを用いたインク残量検知である。光学センサを用いたインク残量検知では、生インク５０７が在るのか無いのかを直接検出することができるので、ドットカウント値には依存せず、独立した検知結果となっている。
【００６９】
ＬＥＤ５１１から光を照射して光検出器５１２においてその光を受光し、さらに、ステップＳ２５０その受光光量がゼロかどうかを調べる。上述したように生インク５０７が存在する場合、光検出器５１２の出力は“ゼロ”となり、処理はステップＳ２６０に進む。
【００７０】
ステップＳ２６０では、本記録装置において、インク残量検知システムが異常であると判定する。ステップＳ２３０でＤＣＮＴ≧ＴＨＥであると確認している。つまり、そのインクタンク５０１は製造公差を含めても、十分なインク量が使用されている。従って、インクタンク５０１内にインクが残存しているはずがない。それにもかかわらず、ステップ２５０において受光光量がゼロを示すということは、残存しているはずのない生インク５０７が存在していることを意味する。要するに、ステップＳ２３０とステップＳ２５０とが矛盾する結果を出しており、どちらかが予期せぬ不具合により、動作が正常ではなくなっていると考えられる。具体的には、電気ノイズ等で記録素子５１０が破壊されたり、ドットカウント回路が破壊されたり、記録に伴うインクミストが原因で光学センサが正常に検知できなかったりするケースが考えられる。その結果、インク残量検知システムが異常であるため、間違ったインク残量を設定している可能性が高い。
【００７１】
そこで、ステップＳ２７０でインク残量が異常であることを、記録装置の不揮発性メモリやインクタンク５０１の記憶素子５１０などに記憶して、本シーケンスを終了する。
【００７２】
ここで、ステップ２５０に戻り、生インク５０７が無い場合は、ＬＥＤ５１１からの光がプリズム５１５と空気との界面で全反射され、この全反射した光が光検出器５１２に到達し、光検出器５１２には“ゼロ”でない出力が得られる。このように、光検出器５１２の出力変化を受け取るとＣＰＵは生インク５０７が無くなったと判断して、処理はステップＳ２８０に進む。
【００７３】
ステップＳ２８０では、インクなし状態のタンクであると判定する。ステップＳ２３０でインクが十分に使用され、且つステップＳ２５０で生インク５０７が無いと判断しており、矛盾も無く、インクの無い状態であると考えられる。この結果を踏まえて、ステップＳ２９０でインクなしのエラー処理を実行する。つまり、インクなしであることをユーザーに知らせるために、「インクが無くなりました。インクタンクを交換して下さい」等のメッセージを記録装置の表示部で表示したり、記録装置と接続されるホスト装置の表示部におけるドライバーのＵＩ画面で表示したりしている。
【００７４】
以上のように、複数のインク残量の検出機構による判定結果を比較することで、インク残量検知システムは異常な状態になっており、インク残量が異常になっていることを判定することが可能となっている。
【００７５】
（インク残量の表示停止処理）
次に、インク残量が正しく検知できていないと判定をした場合に、ユーザーに間違った情報を与えないために、図８のフローチャートに示すようなシーケンスに従って、インク残量表示を停止する処理を実行する。
【００７６】
まず、ステップＳ３００でインク残量が不正であることを、ユーザーに通知する。そして、ステップＳ３１０でインク残量が不正であることを、記録装置もしくはインクタンクの記憶素子に記憶することをユーザーに通知する。続いて、ステップＳ３２０でユーザーに間違った情報を与えないために、インク残量表示を停止することを、ユーザーに通知する。これらの通知手段は、ドライバーのＵＩ画面などを用いて行う。
【００７７】
次に、ステップＳ３３０で前記の通知内容に対して、同意をして頂けるかを確認する。インク残量表示を停止すること、このままでは該当のインクタンクは使用できないことになってしまうこと、などのユーザーデメリットがあるため、自動で設定してしまうのではなく、ユーザー意志で、該当インクタンクをそのまま使用するのかを判断してもらう。ここで、ユーザーの同意が得られれば、ステップＳ３４０に進み、インク残量が不正であることを、記録装置もしくはインクタンクの記憶素子に記憶する。そして、ステップＳ３５０に進んで、インク残量表示の停止を実行して、本シーケンスを終了する。
【００７８】
また、ステップＳ３３０で前記の通知内容に対して、同意して頂けない場合は、ステップＳ３６０に進んで、インク残量検知エラー処理を実行する。具体的には記録装置でエラー表示をする。エラー状態のため記録動作を行えなくなる。
【００７９】
以上のように、本来使用できなくなっている記録装置及びインクタンクに対して、ユーザーの意志でインク残量表示を停止させることで、該当のインクタンクを使用することが可能となる。
【００８０】
（該当インクタンクの記録制御もしくは回復制御）
次に、インク残量が正しく検知できていないと判定をした場合に、画像弊害などの不具合を生じさせないために、図９のフローチャートに示すようなシーケンスに従って、該当インクタンクに対する記録制御もしくは回復制御の変更を実行する。
【００８１】
まず、ステップＳ４００でインク残量が不正であることを、ユーザーに通知する。そして、ステップＳ４１０でインク残量が不正であることを、記録装置もしくはインクタンクの記憶素子に記憶することをユーザーに通知する。続いて、ステップＳ４２０で画像弊害などの不具合を生じさせないために、記録制御もしくは回復制御を変更することを、ユーザーに通知する。これらの通知手段は、ドライバーのＵＩ画面などを用いて行う。
【００８２】
次に、ステップＳ４３０で前記の通知内容に対して、同意をして頂けるかを確認する。記録制御もしくは回復制御を変更すると、スループットが低下したり、インク使用量が上がったりするなどのユーザーデメリットがあるため、自動で設定してしまうのではなく、ユーザー意志で、該当インクタンクをそのまま使用するのかを判断してもらう。ここで、ユーザーの同意が得られれば、ステップＳ４４０に進み、インク残量が不正であることを、記録装置もしくはインクタンクの記憶素子に記憶する。そして、ステップＳ４５０に進んで、記録制御もしくは回復制御の変更を実行して、本シーケンスを終了する。
【００８３】
ここで、記録制御の変更とは記録パス数を多くする処理である。また、回復制御の変更とは、回復動作に伴うインク量を多く処理である。すなわち、上述したようにインク残量が正しく検知できないということは、インクタンク内のインクの状態が不明であることを意味する。インクの状態が不明であると、予期し得ない画像弊害を招く可能性がある。そこで、このような予期し得ない画像弊害が生じる可能性を抑制するために、予防的に記録パス数を多くし、また、予防的に回復動作に伴うインク量を多くするのである。この構成によれば、生来的に画質アップを狙える多パスが設定され、また、生来的にインク吐出状態を安定化できる多量の回復動作が設定されるので、予期し得ない画像弊害の発生を抑制することができる。
【００８４】
また、ステップＳ４３０で前記の通知内容に対して、同意して頂けない場合は、ステップＳ４６０に進んで、インク残量検知エラー処理を実行する。具体的には記録装置でエラー表示をする。エラー状態のため記録動作を行えなくなる。
【００８５】
以上のように、本来使用できなくなっている記録装置及びインクタンクに対して、ユーザーの意志で記録制御もしくは回復制御を変更することで、該当のインクタンクを使用することが可能となる。
【００８６】
以上説明したように本実施形態によれば、光学センサーを用いたインク残量検知機構や使用量カウント機構、記憶機構の動作に異常（エラー）が生じた場合であっても、このエラーが原因で記録装置もしくはインクタンクが使用不可になってしまうような不具合を抑制することができ、結果、使用するユーザーに不利益を生じさせずに済む。特に、インクタンク内のインク残量が不正であった場合、そのインクタンクのインク残量表示を停止させる。これにより、使用するユーザーに不利益な情報の提示を抑制することが可能となる。また、インク残量が正常でないインクタンクがある場合、通常状態とは異なる記録制御もしくは回復制御を行う。これにより、不要にエラー状態で記録装置もしくはインクタンクが使用することができなくなる不具合を抑制できる。
【図面の簡単な説明】
【００８７】
【図１】本発明の一実施形態に係わるインクジェット記録装置の構成を示す斜視図である。
【図２】図２に示したインクジェット記録装置の制御系の概略構成を示すブロック図である。
【図３】本発明の一実施形態で用いる記録ヘッドのチップ構成を説明する模式図である。
【図４】光学センサを用いたインクタンク内のインク残量を検出する機構について説明した図である。
【図５】本発明で用いられる光学センサを用いたインクタンク内のインク残量を検出する機構を示す説明図であり、（ａ）は生インクあり状態を示し（ｂ）は生インクなし状態の場合を示す。
【図６】複数の方式を組み合わせたインク残量検出の実行シーケンスを説明するフローチャートである。
【図７】本発明で実行されるインク残量が不正状態を検知する実行シーケンスを説明するフローチャートである。
【図８】本発明で実行されるインク残量表示の停止実行シーケンスを説明するフローチャートである。
【図９】本発明で実行される記録制御もしくは回復制御の変更の実行シーケンスを説明するフローチャートである。
【符号の説明】
【００８８】
４０１、５０１  インクタンク
４０２、５０２  供給口
４０３、５０３  大気連通口
４０４、５０４  インク
４０５、５０５  インク吸収体
４０６、５０６  仕切り板
４０７、５０７  生インク
４０８、５１１  ＬＥＤ
４０９、５１２  光検出器
４１０、５１０  記憶素子
５１３  レンズ
５１４  照明光
５１５  プリズム
５１６  反射光
【図１】
0004845439.tif 000002
【図２】
0004845439.tif 000003
【図３】
0004845439.tif 000004
【図４】
0004845439.tif 000005
【図５】
0004845439.tif 000006
【図６】
0004845439.tif 000007
【図７】
0004845439.tif 000008
【図８】
0004845439.tif 000009
【図９】
0004845439.tif 000010